(57)【要約】  本発明においては、製品は、ブリスタ内に収容されているとともに、パッケージの頂部において、チャイルドロック機能を有したグリッパー（１０）によって固定的に保持されて表示される。ブリスタバブル（７）は、硬いプラスチック材料から形成されている。このプラスチック材料は、その形状を維持し得るよう、なおかつ、尖鋭なツールを使用しない限りにおいては開裂させたり穿孔したりするのが困難であるよう、十分に硬いものとされている。個々のブリスタ（３）は、ホルダ（１０）の開口（１１）を通して露出されたブリスタとして、表示されている。ブリスタの底面フランジ（９）は、ホルダ（１０）の開口（１１）の周囲において、フレーム（１３）の直下に固定されている。ブリスタの裏当ては、端部キャップ（２０）の底面（２１）に対して緊密に保持されている。
2007517599.tif 000002
【特許請求の範囲】
【請求項１】
製品を保持するためのキャップであって、
ブリスタ底面上のブリスタバブル内に収容された製品と；ホルダと；を具備し、
前記ホルダが、ロッキング部材と、端部キャップと、ベースと、を備え、
前記ロッキング部材が、
前記ブリスタバブルと前記ブリスタ底面との上に適合するフレームと、
このフレームの中央に形成された開口であるとともに、前記ブリスタバブルを露出させるための開口と、
ロッキングリッジと、
１つ以上の解除タブと、
を有し、
前記端部キャップが、
前記ブリスタ底面に対して接触するためのフラットな中央底面と、
このフラットな中央底面の一方の面から突出している端部キャップカラーと、
前記ロッキング部材の前記ロッキングリッジに対して相補的なロッキング開口と、
外側エッジ回りに設けられたリムと、
を有し、
前記ベースが、
中空スリーブと、
前記端部キャップの前記外側エッジと協働するための開口端と、
を有し、
前記ブリスタ底面が、前記ロッキング部材と前記端部キャップとの間に拘束され、
前記キャップを開放して前記製品を取り出すには、操作が必要とされていることを特徴とするキャップ。
【請求項２】
請求項１記載のキャップにおいて、
前記操作が、前記１つ以上の解除タブを同時に押し込むこととされていることを特徴とするキャップ。
【請求項３】
請求項２記載のキャップにおいて、
前記１つ以上の解除タブが、互いに向けて押し込まれるものとされていることを特徴とするキャップ。
【請求項４】
請求項２記載のキャップにおいて、
前記操作が、さらに、前記端部キャップから離間する向きに前記ロッキング部材を引っ張ることとされていることを特徴とするキャップ。
【請求項５】
請求項１記載のキャップにおいて、
前記ロッキング部材が、無作為な操作によっては取り外し得ないものとされていることを特徴とするキャップ。
【請求項６】
請求項１記載のキャップにおいて、
さらに、前記端部キャップと前記ベースとを連結するための二次的ロッキング機構を具備していることを特徴とするキャップ。
【請求項７】
請求項６記載のキャップにおいて、
前記二次的ロッキング機構が、
前記端部キャップの前記外側エッジから延出する１つ以上のロッキング突起と、
前記ベースの内壁に形成された相補的な１つ以上のロッキング開口と、
を備えていることを特徴とするキャップ。
【請求項８】
請求項７記載のキャップにおいて、
前記二次的ロッキング機構が、前記端部キャップ底面の両端を圧縮しながら前記端部キャップを前記ベースから引っ張ることによって、解除されることを特徴とするキャップ。
【請求項９】
請求項１記載のキャップにおいて、
前記製品が、前記キャップの外面上に表示されていることを特徴とするキャップ。
【請求項１０】
請求項１記載のキャップにおいて、
前記スリーブが、プラスチックまたは厚紙からなる印刷可能なシートから形成されていることを特徴とするキャップ。
【請求項１１】
請求項１記載のキャップにおいて、
前記ロッキング部材と前記端部キャップとが、射出成形によって形成されていることを特徴とするキャップ。
【請求項１２】
請求項１記載のキャップにおいて、
前記端部キャップと前記ベースとが、互いに相補的な形状とされていることを特徴とするキャップ。
【請求項１３】
請求項１記載のキャップにおいて、
前記端部キャップの前記フラットな中央底面が、フラットなものとされている、あるいは、前記端部キャップカラーに対向する側部において形状を有していることを特徴とするキャップ。
【請求項１４】
請求項１記載のキャップにおいて、
さらに、前記ベースを補強し得るよう、前記ベースの底面上を横断して延在する複数のリブを具備していることを特徴とするキャップ。
【請求項１５】
請求項１記載のキャップにおいて、
さらに、前記ベース内に、メモまたはクーポンまたはサンプルまたは薬剤を具備していることを特徴とするキャップ。
【請求項１６】
請求項１記載のキャップにおいて、
前記製品が、個々の開裂可能な背当てによって各ブリスタ内に収容されていることを特徴とするキャップ。
【請求項１７】
請求項１記載のキャップにおいて、
前記製品が、穴開けされたストリップまたはカード上に収容されていることを特徴とするキャップ。
【請求項１８】
製品を保持するためのキャップであって、
ブリスタ底面上のブリスタ内に収容された製品と、
底面上に開口を有した井戸形状の頂部部材と、
この頂部部材よりも大きなベース部材であるとともに、前記頂部部材と相互作用し得るようフラットな面から起立したカラーを有しているベース部材と、
このベース部材のロッキング開口と協働し得るよう、前記頂部部材の端部に形成されたロッキングリブと、
前記ベース部材の前記ロッキング開口から前記頂部部材の前記ロッキングリブを解除し得るよう、前記頂部部材に設けられた１つ以上のフレキシブルタブと、
前記ベース部材をベース容器に対して連結し得るよう、前記ベース部材の周囲に設けられたリムと、
を具備し、
前記ブリスタ底面が、前記ブリスタが前記開口を挿通した状態で、前記頂部部材と前記ベース部材との間に挟み込まれていることを特徴とするキャップ。
【請求項１９】
請求項１８記載のキャップにおいて、
前記製品が、前記１つ以上のフレキシブルタブを同時に押圧することによって、取り出し得るものとされていることを特徴とするキャップ。
【請求項２０】
請求項１９記載のキャップにおいて、
前記１つ以上のフレキシブルタブが、互いに向けて押圧されるものとされていることを特徴とするキャップ。
【請求項２１】
請求項１９記載のキャップにおいて、
前記頂部部材が、前記ベース部材から離間する向きに引っ張られることを特徴とするキャップ。
【請求項２２】
請求項１８記載のキャップにおいて、
前記頂部部材が、無作為な操作によっては取り外し得ないものとされていることを特徴とするキャップ。
【請求項２３】
請求項１８記載のキャップにおいて、
さらに、前記ベース部材と前記ベース容器とを連結するための二次的ロッキング機構を具備していることを特徴とするキャップ。
【請求項２４】
請求項２３記載のキャップにおいて、
前記二次的ロッキング機構が、
前記頂部部材の外側エッジから延出する１つ以上のロッキング突起と、
前記ベース容器の内壁に形成された相補的な１つ以上のロッキング開口と、
を備えていることを特徴とするキャップ。
【請求項２５】
請求項２４記載のキャップにおいて、
前記二次的ロッキング機構が、前記ベース容器の両端を圧縮しながら前記ベース部材を前記ベース容器から引っ張ることによって、解除されることを特徴とするキャップ。
【請求項２６】
請求項１８記載のキャップにおいて、
さらに、前記ベース容器を補強し得るよう、前記ベース容器の底面上を横断して延在する複数のリブを具備していることを特徴とするキャップ。
【請求項２７】
製品を保持するための方法であって、
ブリスタ底面上のブリスタバブル内に製品を収容し、
ホルダを準備し、この場合、このホルダを、ロッキング部材と、端部キャップと、ベースと、を備えるものとするとともに、前記ロッキング部材を、前記ブリスタバブルと前記ブリスタ底面との上に適合するフレームと、このフレームの中央に形成された開口であるとともに、前記ブリスタバブルを露出させるための開口と、ロッキングリッジと、１つ以上の解除タブと、を有するものとし、さらに、前記端部キャップを、前記ブリスタ底面に対して接触するためのフラットな中央底面と、このフラットな中央底面の一方の面から突出している端部キャップカラーと、前記ロッキング部材の前記ロッキングリッジに対して相補的なロッキング開口と、外側エッジ回りに設けられたリムと、を有するものとし、さらに、前記ベースを、中空スリーブと、前記端部キャップの前記外側エッジと協働するための開口端と、を有するものとし、
前記１つ以上の解除タブを同時に押圧し、
前記端部キャップから離間する向きに前記ロッキング部材を引っ張り、
前記端部キャップ上において前記ロッキング部材を取り外す、
ことを特徴とする方法。
【請求項２８】
請求項２７記載の方法において、
前記１つ以上の解除タブを、互いに向けて押圧することを特徴とする方法。
【請求項２９】
請求項２７記載の方法において、
前記ロッキング部材を、無作為な操作によっては取り外し得ないものとすることを特徴とする方法。
【請求項３０】
請求項２７記載の方法において、
さらに、二次的ロッキング機構によって、前記端部キャップと前記ベースとを連結することを特徴とする方法。
【請求項３１】
請求項３０記載の方法において、
前記二次的ロッキング機構を、
前記端部キャップの前記外側エッジから延出する１つ以上のロッキング突起と、
前記ベースの内壁に形成された相補的な１つ以上のロッキング開口と、
を備えているものとすることを特徴とする方法。
【請求項３２】
請求項３１記載の方法において、
前記ベースの両端を圧縮しながら前記端部キャップを前記ベースから引っ張ることを特徴とする方法。
【請求項３３】
請求項２７記載の方法において、
前記ベースの外面を、印刷可能な材料を備えたものとすることを特徴とする方法。
【請求項３４】
請求項２７記載の方法において、
前記ベースの底面を横断して延在するリブによって、前記ベースを補強することを特徴とする方法。
【請求項３５】
請求項２７記載の方法において、
前記ベース内に、メモまたはクーポンまたはサンプルまたは薬剤を具備することを特徴とする方法。
【発明の詳細な説明】
【技術分野】
【０００１】
本出願は、特許文献１の優先権を主張するものである。
【背景技術】
【０００２】
チャイルドロック機能を有したキャップは、医薬品の分野において必要とされている。チャイルドロック機能を有したキャップは、偶発的に開きづらいものでなければならない、すなわち、キャップを開けることに関する指示を理解しづらい人とか子供によって不用意に開けづらいものでなければならない。他方、チャイルドロック機能を有したキャップは、キャップを開けることに関する指示を読んで理解し得る人にとっては、また、キャップの適切な開き方に関する指導を受けた人にとっては、比較的容易に開け得るものでなければならない。
【０００３】
同時に、医薬品を服用したかどうかを思い出すことは、困難なことである。最近の医薬品の場合には、服用間隔が長くなっていることのために、困難性は、より増大する。
【０００４】
投薬履歴を表示しているような、あるいは、薬剤の投与の必要性に関する注意喚起を表示しているような、チャイルドロック機能を有したキャップが要望されている。表示は、大人にとっては、比較的容易に読んで理解できるものでなければならず、なおかつ、服用を思い出しにくい子供によっては開けにくいものでなければならない。同時に、服用の必要性を思い出した大人にとっては、薬剤に対してのアクセスが即座に利用可能なものであることは、重要なことである。
【０００５】
知識のある大人にとっては薬剤に対してのアクセスが即座に利用可能なものであるような、なおかつ、子供にとっては開けにくいものであるような、注意喚起をもたらすことが要望されている。子供にとっては開けにくくなおかつ大人にとっては開けやすいような、チャイルドロック機能を有した改良されたキャップが要望されている。
【特許文献１】２００４年１月７日付けで出願された米国特許予備出願第６０／５３４，３８６号明細書
【発明の開示】
【課題を解決するための手段】
【０００６】
本発明は、好ましくはブリスタ内に収容された薬剤といったような薬剤を保持するためのキャップであるとともに、薬剤を容器の外側に表示しているようなキャップを提供する。これにより、薬剤を服用したかどうかを思い起こさせるための注意喚起として機能することができる、あるいは、薬剤の新たな使用者に対して、薬剤の独自の外観や形状や色具合を知らせるための注意喚起として機能することができる。
【０００７】
本発明の好ましい実施形態においては、薬剤は、ブリスタ内に収容されているとともに、パッケージの頂部において、チャイルドロック機能を有したグリッパーによって固定的に保持されて表示される。ブリスタバブルは、硬いプラスチック材料から形成されている。このプラスチック材料は、その形状を維持し得るよう、なおかつ、尖鋭なツールを使用しない限りにおいては開裂させたり穿孔したりするのが困難であるよう、十分に硬いものとされている。個々のブリスタは、ホルダの開口を通して露出されたブリスタとして、表示されている。ブリスタの底面フランジは、ホルダの開口の周囲において、フレームの直下に固定されている。薬剤を従来的な手法で取り出すための、ブリスタに対しての、破壊可能なあるいは開裂可能な穿孔可能なあるいは破砕可能な裏当ては、端部キャップの底面に対して緊密に保持されている。ホルダは、薬剤を収容しているブリスタと、このブリスタ内の薬剤とが、不用意に取り出され得ないことを、確保している。ブリスタパッケージからの取出を行うには、正確な操作が必要とされる。ブリスタの背当てを開封して薬剤にアクセスし得る状況を得るには、その前に、ブリスタパッケージを、ホルダと端部キャップとの間の拘束から解除しなければならない。
【０００８】
操作は単純なものではあるものの、子供にとっては理解しづらいものである。子供が容器から端部キャップを取り外すことができたとしても、ブリスタ内の薬剤に対するアクセスは、制限されたままである。端部キャップからホルダを取り外すためには、ホルダの両サイドの起立端部の双方を内向きに挟みつつ、ホルダを端部キャップから垂直にを持ち上げなければならない。この操作により、ホルダの端部壁上のロッキングリブを、内向きに駆動させて、端部キャップカラーの相補的端部壁の開口の頂部に対する係合状態から解除することができる。固定された端部キャップカラーの中間介在鉛直方向壁と、ホルダのうちの、カラー内に配置された鉛直方向壁とは、起立端部のうちの一方だけを内向きに押圧することだけではホルダを取り外し得ないものとしており、また、端部キャップカラーからホルダをはじき飛ばそうとすることだけではホルダを取り外し得ないものとしている。
【０００９】
好ましい実施形態においては、ブリスタとその内容物とにアクセスし得るよう端部キャップからホルダを取り外すに際して、さらなる協働的操作が必要とされる。端部キャップを歪めて端部キャップの側壁を外向きに駆動するためには、端部キャップの両端部を、互いに向けて圧縮して締め付けなければならない。この駆動により、側壁内のロッキング開口が、外向きに駆動され、これにより、ホルダの側壁から外向きに延在しているロッキング突起に対しての係合が、解除される。
【００１０】
本発明は、チャイルドロック機能を提供するものであり、なおかつ、薬剤は、二次的パッケージの外側に表示される。
【００１１】
パッケージの外面上における薬剤の表示は、使用者に対しての迅速な参照となり得る。なぜなら、使用者は、指定されたタイミングでもって、必要な薬剤を服用したかどうかを視覚的に確認し得るからである。端部キャップは、薬剤（あるいは、錠剤）を表示している。
【００１２】
本発明の一般的な目的、および、解決すべき課題は、二次的パッケージの外側に薬剤が固定されて表示されているような、なおかつ、チャイルドロック機能を有しているような、パッケージの作製である。薬剤は、主に、単一のまたは複数のキャビティを有したブリスタパッケージ内に封入されている。所定シーケンスをなす一連の操作を実行しない限りにおいては、チャイルドロック機能を有した（child  resistant，ＣＲ）端部キャップは、内容物へのアクセスを防止する。チャイルドロック機能を有した端部キャップアセンブリは、容器に対して、あるいは、開口端を有したスリーブに対して、組み合わせられる。
【００１３】
本発明は、スリーブと、プラスチック製の端部キャップと、を備えている。スリーブは、印刷可能なシート材料を有して形成されている。例えば、プラスチックや厚紙といったような、印刷可能なシート材料を有して形成されている。射出成形によって、端部キャップ構成部材が形成される。端部キャップとスリーブとは、互いに適合した任意の形状や形態とすることができる。例えば、矩形や、円形や、楕円形、とすることができる。
【００１４】
互いに異なる３つの端部キャップ構成部材が、設けられている。図においては、それら構成部材は、符号１０，２０，３０によって示されている。
【００１５】
構成部材１０は、ブリスタを固定するために使用されるロッキング部材である。構成部材１０は、底面に開口を有した井戸形状のキャビティとして形成される。構成部材１０は、構成部材２０のロッキング特徴点に対してロックされる少なくとも１つのフレキシブルタブを備えている。
【００１６】
構成部材２０は、スリーブの頂部に対して完璧に適合する端部キャップである。端部キャップ２０は、キャビティ（またはカラー）を形成し得るよう一方の面から上向きに突出している４つの壁を備えている。キャビティまたはカラーは、ブリスタ薬剤ロッキング部材を、壁内へと正確に適合させることができる。薬剤は、構成部材１０と、構成部材２０のキャビティと、の間に、挟み込まれている。起立壁上には、少なくとも１つのスロットが形成されている。スロットは、構成部材１０のフレキシブルタブのロックを可能とする。フレキシブルタブを、構成部材１０に対して内向きに押し込んで上向きに持ち上げることにより、患者は、直下の薬剤を取り出すことができる。端部キャップの底面は、フラットなものとすることができる、あるいは、任意の適切な形状とすることができる。
【００１７】
構成部材３０は、端部キャップのベースである。ベースは、スリーブの底部に対して完璧に適合する。リブが、端部キャップの底面を横断して延在しており、構造を補強するために使用されている。底部端部キャップ構成部材３０の頂面は、フラットなものとすることができる、あるいは、適切であるような様々な形状のものとすることができる。
【００１８】
チャイルドロック機能を有している必要のない閉塞容器の場合には、患者（あるいは、使用者）は、単に端部キャップを持ち上げることによって、例えばメモやクーポンやプロモーションサンプルや他の薬剤といったような内容物を取り出すことができる。
【００１９】
本発明の他の実施形態においては、薬剤は、ブリスタ内の薬剤を取り出す際に開封するための個々の開裂可能な背当てによって、各ブリスタ内に収容される。これに代えて、ブリスタは、チャイルドロック機能を有した容器内において、穴開きストリップまたはカード上に取り付けられた個々のブリスタとされる。これにより、個々のブリスタは、ストリップまたはカードから分離することができ、チャイルドロック機能を有した注意喚起機能付きのパッケージ内に配置することができる。これにより、次なる服用に対する注意喚起として、薬剤を表示することができる。
【発明を実施するための最良の形態】
【００２０】
本発明における上記のおよび他の目的や特徴点は、添付図面を参照しつつ、本明細書による開示を参照することにより、明瞭となるであろう。
【００２１】
図１〜図８に示すように、本発明は、ロック１０と端部キャップ２０とを備えた容器１を提供するものであり、容器１の外側に見えるようにして、好ましくはブリスタ３といったような薬剤を保持することができる。これにより、薬剤を服用したかどうかを思い起こさせるための注意喚起として機能することができる、あるいは、薬剤の新たな使用者に対して、薬剤の独自の外観や形状や色具合を知らせるための注意喚起として機能することができる。
【００２２】
本発明の好ましい実施形態においては、薬剤５は、ブリスタ３としてパッケージングされているとともに、パッケージの端部キャップ２０の頂部に配置されたチャイルドロック機能を有したグリッパー１０内に固定的に保持されて表示されている。ブリスタバブル７は、硬いプラスチック材料から形成されている。このプラスチック材料は、その形状を維持し得るよう、なおかつ、尖鋭なツールを使用しない限りにおいては開裂させたり穿孔したりするのが困難であるよう、十分に硬いものとされている。個々のブリスタ３は、ホルダ１０の開口１１を通して露出されたブリスタとして、表示されている。ブリスタの底面フランジ９は、ホルダ１０の開口１１の周囲において、フレーム１３の直下に固定されている。薬剤５を従来的な手法で取り出すための、ブリスタに対しての、破壊可能なあるいは開裂可能な穿孔可能なあるいは破砕可能な裏当ては、端部キャップ２０の底面２１に対して緊密に保持されている。ホルダ１０は、薬剤を収容しているブリスタ３と、このブリスタ内の薬剤５とが、不用意に取り出され得ないことを、確保している。ブリスタパッケージを取り出すには、正確な操作が必要とされる。ブリスタの背当てを開封して薬剤にアクセスし得る状況を得るには、その前に、ブリスタパッケージ３を、ホルダ１０と端部キャップ２０との間の拘束から解除しなければならない。
【００２３】
操作は単純なものではあるものの、子供にとっては理解しづらいものである。子供が容器１から端部キャップ２０を取り外すことができたとしても、ブリスタ内の薬剤に対するアクセスは、制限されたままである。端部キャップからホルダを取り外すためには、ホルダの両サイドの起立端部１５の双方を内向きに挟みつつ、ホルダ１０を端部キャップ２０から垂直にを持ち上げなければならない。この操作により、ホルダ１０の端部壁１９上のロッキングリブ１７を、内向きに駆動させて、端部キャップカラー２９の相補的端部壁２７の開口２５の頂部２３に対する係合状態から解除することができる。固定された端部キャップカラー２９の中間介在鉛直方向壁２７と、ホルダ１０のうちの、カラー２９内に配置された鉛直方向壁１９とは、起立端部１５のうちの一方だけを内向きに押圧することだけではホルダ１０を取り外し得ないものとしており、また、端部キャップカラー２９からホルダ１０をはじき飛ばそうとすることだけではホルダ１０を取り外し得ないものとしている。ホルダ１０は、頂面４３から下向きに延在するスロット４１を備えている。このスロット４１は、底面４５内においてもわずかに延在している。これにより、端部壁１９をフレキシブルなものとしている。よって、端部壁１９は、内向きに撓むことができる。これにより、ロッキングリブを、ロッキング開口２５の頂面から離間させる向きにすなわち内向きに移動させることができる。これにより、端部キャップ２０上のカラー２９から、ホルダ１０を取り外したり交換したりすることができる。
【００２４】
好ましい実施形態においては、ブリスタ３とその内容物にアクセスし得るよう端部キャップ２０からホルダ１０を取り外すに際して、さらなる協働的操作が必要とされる。端部キャップ２０を歪めて端部キャップの側壁５３を外向きに駆動するためには、端部キャップの両端部５１を、互いに向けて圧縮して締め付けなければならない。この駆動により、側壁５３内のロッキング開口５５が、外向きに駆動され、これにより、ホルダ１０の側壁５９から外向きに延在しているロッキング突起５７に対しての係合が、解除される。ロッキング突起は、傾斜部６１を備えている。この傾斜部６１により、端部キャップ２０内にホルダ１０を組み立てたときには、端部キャップ側壁５３内の開口５５内へと、突起５７をスナップ係合させることができる。
【００２５】
本発明は、チャイルドロック機能を提供するものであり、なおかつ、薬剤は、二次的パッケージの外側に表示される。
【００２６】
パッケージ１の外面上におけるブリスタ３内の薬剤の表示は、使用者に対しての迅速な参照となり得る。なぜなら、使用者は、指定されたタイミングでもって、必要な薬剤を服用したかどうかを視覚的に確認し得るからである。ホルダ１０をロックしている端部キャップは、ブリスタ３と薬剤（あるいは、錠剤）５とを表示している。
【００２７】
本発明の一般的な目的、および、解決すべき課題は、二次的パッケージの外側に薬剤５が固定されて表示されているような、なおかつ、チャイルドロック機能を有しているような、パッケージ１の作製である。薬剤は、主に、単一のまたは複数のキャビティを有したブリスタパッケージ３内に封入されている。所定シーケンスをなす一連の操作を実行しない限りにおいては、チャイルドロック機能を有した（child  resistant，ＣＲ）端部キャップ２０は、内容物へのアクセスを防止する。チャイルドロック機能を有した端部キャップアセンブリ２０は、容器１に対して、あるいは、開口端を有したスリーブに対して、組み合わせられる。
【００２８】
本発明は、スリーブ７１と、プラスチック製の端部キャップ２０，３０と、を備えている。スリーブは、印刷可能なシート材料を有して形成されている。例えば、プラスチックや厚紙といったような、印刷可能なシート材料を有して形成されている。射出成形によって、端部キャップ構成部材が形成される。端部キャップとスリーブとは、互いに適合した任意の形状や形態とすることができる。例えば、矩形や、円形や、楕円形、とすることができる。
【００２９】
互いに異なる３つの上部端部キャップ構成部材が、設けられている。図においては、それら構成部材は、符号１０，２０，３０によって示されている。
【００３０】
構成部材１０は、ブリスタ３を固定するために使用されるロッキング部材である。構成部材１０は、底面に開口を有した井戸形状のキャビティとして形成される。構成部材１０は、構成部材２０のロッキング特徴点に対してロックされる少なくとも１つのフレキシブルタブを備えている。
【００３１】
構成部材２０は、スリーブ７１の頂部７３に対して完璧に適合する端部キャップである。端部キャップ２０は、キャビティまたはカラー２９を形成し得るよう一方の面から上向きに突出している４つの壁２７，７７を備えている。キャビティまたはカラー２９は、ブリスタ薬剤ロッキング部材１０を、壁２７，７７内へと正確に適合させることができる。薬剤５は、ブリスタ３内に収容されており、ブリスタ３は、構成部材１０と、構成部材２０のキャビティ２９と、の間に、挟み込まれている。起立壁１５上には、少なくとも１つのスロット４１が形成されている。スロット４１は、構成部材１０のフレキシブルタブのロックを可能とする。フレキシブルタブ１５を、構成部材１０に対して内向きに押し込んで上向きに持ち上げることにより、患者は、ロッキングホルダ１０の直下のバブル３内の薬剤５を取り出すことができる。端部キャップの底面７９は、フラットなものとすることができる、あるいは、任意の適切な形状とすることができる。
【００３２】
構成部材３０は、端部キャップのベースである。ベースは、スリーブの底部７５に対して完璧に適合する。リブ８１が、端部キャップ３０の底面８３を横断して延在しており、構造を補強するために使用されている。底部端部キャップ構成部材３０の頂面は、フラットなものとすることができる、あるいは、適切であるような様々な形状のものとすることができる。
【００３３】
チャイルドロック機能を有している必要のない閉塞容器の場合には、患者（あるいは、使用者）は、単に端部キャップ２０を持ち上げることによって、例えばメモやクーポンやプロモーションサンプルや他の薬剤といったような内容物を取り出すことができる。
【００３４】
本発明の他の実施形態においては、薬剤は、ブリスタ内の薬剤を取り出す際に開封するための個々の開裂可能な背当てによって、各ブリスタ内に収容される。これに代えて、ブリスタは、チャイルドロック機能を有した容器内において、穴開きストリップまたはカード上に取り付けられた個々のブリスタとされる。これにより、個々のブリスタは、ストリップまたはカードから分離することができ、チャイルドロック機能を有した注意喚起機能付きのパッケージ内に配置することができる。これにより、次なる服用に対する注意喚起として、薬剤を表示することができる。
【００３５】
本発明についていくつかの特定の実施形態に関して上述したけれども、本発明の範囲を逸脱することなく、本発明に対する様々な修正や変更を想定することができる。
【図面の簡単な説明】
【００３６】
【図１】容器と、端部キャップと、単一ブリスタパッケージと、キャップ上にブリスタを固定するロッキング部材と、を示す斜視図である。
【図２】容器と、端部キャップと、単一ブリスタパッケージと、キャップ上にブリスタを固定するロッキング部材と、を示す分解斜視図である。
【図３】端部キャップと、単一ブリスタパッケージと、キャップ上にブリスタを固定するロッキング部材と、を示す、上方から見た分解斜視図である。
【図４】端部キャップと、単一ブリスタパッケージと、キャップ上にブリスタを固定するロッキング部材と、を示す、下方から見た分解斜視図である。
【図５】端部キャップを示す、下方から見た分解斜視図であって、単一ブリスタパッケージの端部と、キャップ上にブリスタを固定するロッキング部材の端部と、を示している。
【図６】端部キャップと、単一ブリスタパッケージと、キャップ上にブリスタを固定するロッキング部材と、を示す平面図である。
【図７】容器と、端部キャップと、単一ブリスタパッケージと、キャップ上にブリスタを固定するロッキング部材と、を示す断面図であって、容器の小さな寸法部分を横断した中央平面に沿っての断面上におけるそれら部材と底面キャップとを示している。
【図８】底面キャップを示す底面図であって、底面キャップの底部を横断して延在する補強リブを示している。
【符号の説明】
【００３７】
１  容器（ベース、ベース容器）
３  ブリスタ
５  薬剤（製品）
１０  ホルダ、ロッキング部材
１１  開口
１５  起立端部
１７  ロッキングリブ
１９  端部壁
２０  端部キャップ
２５  ロッキング開口
２９  端部キャップカラー
５５  ロッキング開口
５７  ロッキング突起
７１  スリーブ
【図１】
2007517599.tif 000003
【図２】
2007517599.tif 000004
【図３】
2007517599.tif 000005
【図４】
2007517599.tif 000006
【図５】
2007517599.tif 000007
【図６】
2007517599.tif 000008
【図７】
2007517599.tif 000009
【図８】
2007517599.tif 000010
【国際調査報告】
2007517599.tif 000011
2007517599.tif 000012
2007517599.tif 000013